(57)【要約】【課題】ハーフミラーを用いることなく、撮影カメラ前面に撮影カメラで撮影されない映像情報の表示が可能な技術を提供することである。【解決手段】映像情報を光学像に変換する光学変換手段と、該光学変換手段に対向配置され前記光学手段から投光される光学像を映し出すスクリーンとを有する表示装置において、前記スクリーンは基準同期信号に同期して光の通過と遮蔽とを制御する第１の遮蔽手段からなり、前記光学変換手段は前記第１の遮蔽手段の遮蔽期間に同期して前記光学像を投光する。【選択図】　　　　図１
2004064376.tif 000002
【特許請求の範囲】
【請求項１】
映像情報を光学像に変換する光学変換手段と、該光学変換手段に対向配置され前記光学手段から投光される光学像を映し出すスクリーンとを有する表示装置において、前記スクリーンは基準同期信号に同期して光の通過と遮蔽とを制御する第１の遮蔽手段からなり、前記光学変換手段は前記第１の遮蔽手段の遮蔽期間に同期して前記光学像を投光することを特徴とする表示装置。
【請求項２】
請求項１に記載の表示装置において、前記光学変換手段は映像情報を光学像に変換し投影する投影手段と、前記投影手段の投影面側に配置され、前記基準同期信号に同期して前記投影手段からの前記光学像を含む投影光の通過と遮蔽とを制御して間欠化する第２の遮蔽手段とからなり、前記第２の遮蔽手段は前記第１の遮蔽手段の遮蔽期間に前記投影光を通過させることを特徴とする表示装置。
【請求項３】
請求項２に記載の表示装置において、前記第１の遮蔽手段及び前記第２の遮蔽手段は、制御電極に印加する電圧信号により光の通過と遮蔽とを制御する液晶シャッターからなることを特徴とする表示装置。
【請求項４】
撮影レンズが配置され被撮影者を撮影する撮影カメラと、映像情報を光学像に変換する光学変換手段と、前記撮影カメラの撮影レンズの前方に配置され、前記光学手段から投光される光学像を映し出すスクリーンとを有するカメラシステムであって、前記スクリーンは基準同期信号に同期して光の通過と遮蔽とを制御する第１の遮蔽手段からなり、第１の遮蔽手段は前記撮影カメラの未露光期間に光を遮蔽することを特徴とするカメラシステム。
【請求項５】
撮影レンズが配置され被撮影者を撮影する撮影カメラと、映像情報を光学像に変換する光学変換手段と、前記撮影カメラの撮影レンズの前方に配置され、前記光学手段から投光される光学像を映し出すスクリーンとを有するカメラシステムであって、前記スクリーンは基準同期信号に同期して光の通過と遮蔽とを制御する第１の遮蔽手段からなり、前記第１の遮蔽手段は前記撮影カメラの未露光期間に光の通過を遮蔽すると共に、前記光学変換手段は前記未露光期間に第２の遮蔽手段により前記光学像を投光することを特徴とするカメラシステム。
【請求項６】
請求項４もしくは５に記載のカメラシステムにおいて、前記光学変換手段は映像情報を光学像に変換し投影する投影手段と、前記投影手段の投影面側に配置され、前記基準同期信号に同期して前記投影手段からの前記光学像を含む投影光の通過と遮蔽とを制御して間欠化する前記第２の遮蔽手段とからなり、前記第２の遮蔽手段は前記未露光期間に前記投影光を通過させることを特徴とするカメラシステム。
【請求項７】
請求項６に記載のカメラシステムにおいて、前記第１の遮蔽手段及び前記第２の遮蔽手段は、制御電極に印加する電圧信号により光の通過と遮蔽とを制御する液晶シャッターからなることを特徴とするカメラシステム。
【発明の詳細な説明】
【０００１】
【発明の属する技術分野】
本発明は、表示装置及びカメラシステムに関し、特に、撮影カメラの前方に配置したスクリーンに、撮影カメラで撮影されない画像情報及び文字情報等からなる映像情報を表示させる技術に関するものである。
【０００２】
【従来の技術】
従来のカメラシステムは、例えば特開平１−１４７９７０号公報（以下、「文献１」と記す）に開示されるように、被撮影者を撮影する撮影カメラと、この撮影カメラの撮影レンズの前方に傾斜配置される半透鏡（ハーフミラー）と、このハーフミラーの出演者側に、放送用原稿等の資料を表示する表示装置とを備える構成となっていた。すなわち、撮影カメラの光軸上に、被写体や文字などの様々な情報を表示し、被撮影者へそれを提示をするためには、光軸上に設置されたハーフミラーでの反射を利用した表示法となっていた。
【０００３】
このハーフミラーを用いたカメラシステムでは、表示装置として、液晶プロジェクターと、この液晶プロジェクターから投影される映像情報を含む投影光を可視光像に変換するスクリーンと、液晶プロジェクターから投光された投影光をスクリーンに導く反射ミラーとから構成されていた。特に、文献１のカメラシステムでは、撮影カメラの光軸上にハーフミラーを配置すると共に、撮影カメラの視野範囲（画角）の外側にスクリーンを配置する構成となっており、被撮影者はハーフミラーに鏡像として鏡映されるスクリーン（スクリーンに表示される映像情報）を観察することとなっていた。
【０００４】
他のカメラシステムとしては、ハーフミラーの代わりにスクリーンを配置し、このスクリーンに被写体や文字などの様々な情報を表示させると共に、このスクリーンの一部に撮影用の小穴を開け、この小穴を通過した撮影情報を撮影カメラで撮影するカメラシステムがあった。しかしながら、表示画面内に設けた小穴によるカメラ撮影では、映像情報の全てを表示しているとは限らず、また、超小型のカメラレンズを使用する必要があったので、撮影されるカメラ映像の品質が著しく劣化したものとなっていた。
【０００５】
【発明が解決しようとする課題】
本発明者は、前記従来技術を検討した結果、以下の問題点を見いだした。
ハーフミラーを用いた従来のカメラシステムでは、撮影カメラの光軸上にハーフミラーを設置する必要があったので、このハーフミラーを通過した撮影情報を撮影カメラで撮影する構成となっていた。しかしながら、ハーフミラーでは入射光束の一部が反射され、その残りが通過されることとなるので、撮影カメラへの入射光量が半分に減ってしまい、暗い場所での撮影が難しくなってしまうという問題があった。また、照明装置による照射光量もハーフミラーが無い状態の２倍の光量が必要となってしまうという問題があった。
【０００６】
また、ハーフミラーを用いたカメラシステムでは、ハーフミラーに鏡映されるスクリーンの鏡像位置が、被撮影者を撮影する撮影カメラのレンズ方向となるように、ハーフミラーとスクリーンとがそれぞれ配置されていた。すなわち、被撮影者の目（視点位置）が撮影カメラの光軸上に位置する時を基準位置として、ハーフミラーとスクリーンとが位置調整されていた。
【０００７】
一方、鏡に鏡映される範囲は、視点位置の移動により当然に移動してしまうこととなるので、被撮影者が複数存在する場合や、被撮影者がカメラの光軸上から移動する場合などは、被撮影者の目を撮影カメラの光軸上に位置させることは困難となるので、ハーフミラーにスクリーン全体を鏡像として鏡映することができなくなってしまうという問題があった。すなわち、被撮影者はスクリーンに映像される全ての映像情報を確認することができなくなってしまうという問題があった。
【０００８】
このように、ハーフミラーを用いたカメラシステムでは、被撮影者の目の位置を撮影カメラの光軸位置に一致させる必要があったので、ハーフミラーを用いない映像情報の表示方法が切望されていた。
【０００９】
本発明の目的は、ハーフミラーを用いることなく、撮影カメラ前面に撮影カメラで撮影されない映像情報の表示が可能な技術を提供することにある。
【００１０】
本発明の前記ならびにその他の目的と新規な特徴は、本明細書の記述及び添付図面によって明らかになるであろう。
【００１１】
【課題を解決するための手段】
本願において開示される発明のうち、代表的なものの概要を簡単に説明すれば、下記のとおりである。
【００１２】
（１）映像情報を光学像に変換する光学変換手段と、該光学変換手段に対向配置され前記光学手段から投光される光学像を映し出すスクリーンとを有する表示装置において、前記スクリーンは基準同期信号に同期して光の通過と遮蔽とを制御する第１の遮蔽手段からなり、前記光学変換手段は前記第１の遮蔽手段の遮蔽期間に同期して前記光学像を投光する。
【００１３】
（２）撮影レンズが配置され被撮影者を撮影する撮影カメラと、映像情報を光学像に変換する光学変換手段と、前記撮影カメラの撮影レンズの前方に配置され、前記光学手段から投光される光学像を映し出すスクリーンとを有するカメラシステムであって、前記スクリーンは基準同期信号に同期して光の通過と遮蔽とを制御する第１の遮蔽手段からなり、第１の遮蔽手段は前記撮影カメラの未露光期間（撮影期間を除く期間）に光を遮蔽する。
【００１４】
前述した手段によれば、撮影レンズが配置され被撮影者を撮影する撮影カメラと、映像情報を光学像に変換する光学変換手段と、撮影カメラの撮影レンズの前方に配置され、光学手段から投光される光学像を映し出すスクリーンとによりカメラシステムが形成される。
【００１５】
このカメラシステムで、光学変換手段とスクリーンとで表示装置を構成し、特に、スクリーンを基準同期信号に同期して光の通過と遮蔽とを制御する第１の遮蔽手段で構成し、光学変換手段が第１の遮蔽手段に光学像を投光すると共に、第１の遮蔽手段の遮蔽期間を、未露光期間（撮影カメラの撮影期間を除く期間）とすることによって、ハーフミラーを用いることなく、撮影カメラに撮影されない映像表示を実現することができる。
【００１６】
このとき、第１の遮蔽手段が光の通過状態では、光学変換手段は投影光の照射を停止する構成とすることにより、透明になったスクリーンに見立てた第１の遮蔽手段（液晶シャッター）表面での不必要な反射を防ぐと共に、被撮影者への投影光の照射を防ぐことができる。
【００１７】
また、スクリーンとなる第１の遮蔽手段は、撮影カメラの前方に配置されることとなるので、被撮影者の目線をカメラに向けたままでの情報提示が可能となる。
【００１８】
【発明の実施の形態】
以下、本発明について、発明の実施の形態（実施例）とともに図面を参照して詳細に説明する。
なお、発明の実施の形態を説明するための全図において、同一機能を有するものは同一符号を付け、その繰り返しの説明は省略する。
【００１９】
（実施の形態１）
図１は実施の形態１のカメラシステムの概略構成を説明するための図であり、図２は実施の形態１のカメラシステムの概略構成を説明するための外観図である。
【００２０】
ただし、図１及び図２において、１０１は第１の液晶シャッター（第１の遮蔽手段）、１０２は撮影カメラ、１０３は投影装置（投影手段）、１０４は液晶シャッター駆動装置、１０５は第２の液晶シャッター（第２の遮蔽手段）、１０６は投影光（映像情報）、１０７は撮影情報光、１０８は被撮影者を示す。
【００２１】
図１に示すように、実施の形態１のカメラシステムは、第１の液晶シャッターを通過（透過）した被撮影者１０８等の映像（撮影情報光１０７）を撮影する図示しない周知のシャッター機構付きの撮影カメラ１０２と、外部入力される映像信号から得られる光学像を含む投影光に変換する投影装置１０３と、投影装置１０３から照射される投影光の通過と遮蔽とを制御する第２の液晶シャッター１０５と、撮影情報光１０７の通過と遮蔽とを制御する第１の液晶シャッター１０１と、撮影カメラ１０２から出力される撮影カメラ同期信号（基準同期信号）に同期して、第１の液晶シャッター１０１及び第２の液晶シャッター１０５の動作（動作タイミング）を制御する液晶シャッター駆動装置１０４とから構成される。
【００２２】
特に、実施の形態１のカメラシステムでは、図２に示すように、第１の液晶シャッター１０１は、撮影カメラ１０２の前面すなわち撮影カメラ１０２と被撮影者１０８との間に配置される構成となっている。また、投影装置１０３から投影された光学像を含む投影光の映像情報１０６は、第１の液晶シャッター１０１で焦点を結ぶ構成となっている。また、第２の液晶シャッター１０５は投影装置１０３の投影面側である投影光の出射口の前面に配置される構成となっている。また、前記第１の液晶シャッター１０１は撮影カメラ１０２の視野範囲に配置される構成となっており、撮影カメラ１０２の視野範囲よりも大きい液晶シャッターで第１の液晶シャッター１０１を構成することにより、第１の液晶シャッター１０１の辺縁部が撮影されてしまうことを防止できる構成となっている。さらには第２の液晶シャッター１０５は撮影カメラ１０２の視野範囲の外側に配置される構成となっており、第２の液晶シャッター１０５が撮影情報光１０７として撮影されない構成となっている。ただし、第１の液晶シャッター１０１の辺縁部が撮影されてしまってもよい場合には、撮影カメラ１０２の視野範囲よりも小さい液晶シャッターで第１の液晶シャッター１０１を構成することができる。
【００２３】
このように、実施の形態１のカメラシステムでは、液晶シャッターを２箇所に配置し、一方の液晶シャッターである第１の液晶シャッター１０１は、ディスプレイとして用いるための大きめのものを用いてスクリーンに見立て、撮影カメラ１０２のレンズ前の適当な位置に設置する。他方の液晶シャッターである小型の第２の液晶シャッター１０５は、例えば液晶プロジェクターなどの投影装置１０３から投影光として照射される映像情報１０６を制御するために、投影装置１０３の投影口の前に配置される構成となっている。このとき、投影装置１０３は、表示スクリーンとなる第１の液晶シャッター１０１に正対していなくとも、第１の液晶シャッター１０１の裏面側（撮影カメラ１０２の側）から、正しいアスペクトと向き（本実施の形態では鏡面反転映像）との映像情報１０６を投影することができる。なお、映像情報１０６のアスペクトと向きとの変換については、周知の技術となるので詳細な説明は省略する。
【００２４】
次に、図３に実施の形態１のカメラシステムの動作を説明するための図を示し、以下、図３に基づいて、実施の形態１のカメラシステムの動作を説明する。ただし、３０１は撮影カメラ同期信号、３０２は撮影カメラでの撮影期間、３０３は第１の液晶シャッターへの駆動電圧の印加期間、３０４は第２の液晶シャッターへの駆動電圧の印加期間を示す。また、以下の説明では、第１及び第２の液晶シャッター１０１，１０５は、駆動電圧の印加により透明の通過状態（開状態）となり、それ以外の期間は白濁して遮蔽状態（閉状態）となる、いわゆるノーマリブラックのものである。ただし、第１及び第２の液晶シャッター１０１，１０５としては、駆動電圧の印加により白濁して遮蔽状態（閉状態）となり、それ以外の期間は透明の通過状態（開状態）となる、いわゆるノーマリホワイトのものも適用可能であるが、この場合には以下の説明の駆動電圧の印加期間と印加しない期間（未印加期間）とが逆になることはいうまでもない。
【００２５】
まず図３の（１）に示すように、撮影カメラ同期信号３０１が発生され、この撮影カメラ同期信号３０１が液晶シャッター駆動装置１０４に入力されると、液晶シャッター駆動装置１０４は、図３の（４）に示すように、印加期間３０４の期間では第２の液晶シャッター１０５に駆動電圧を印加する。この第２の液晶シャッター１０５への駆動電圧の印加により、第２の液晶シャッター１０５は白濁から透明となる。その結果、撮影カメラ１０２の側に配置される投影装置１０３から投影された投影情報が、第２の液晶シャッター１０５を通過し、第１の液晶シャッター１０１に投影される。
【００２６】
このとき、印加期間３０４では、図３の（２）に示すように、撮影カメラ１０２による撮影は行われず、また図３の（３）に示すように、第１の液晶シャッター１０１への駆動電圧は印加されない。その結果、撮影カメラ１０２のカメラシャッターが閉じている間すなわち撮影カメラ１０２の末露光期間は、スクリーンに見立てた第１の液晶シャッター１０１が白濁した遮蔽状態となり、投影光として投影される映像情報１０６を表示するスクリーンとして機能することとなる。すなわち、投影装置１０３の投影口に配置された第２の液晶シャッター１０５が透明の通過状態となることにより、投影装置１０３から投影される映像情報１０６が第１の液晶シャッター１０１に照射され、光学像として表示されることとなる。ただし、実施の形態１の第１の液晶シャッター１０１では、撮影カメラ１０２の側から投影した映像情報１０６を、投影側とは反対の側から確認する構成となっているので、第１の液晶シャッター１０１による遮蔽は、映像情報１０６が反対側（裏面側）に十分に透過する必要があることはいうまでもない。
【００２７】
次に、撮影カメラ同期信号３０１の発生から図３に点線で示す期間Ｔが経過すると、液晶シャッター駆動装置１０４は、図３の（３）に示すように、印加期間３０３の期間では、第１の液晶シャッター１０１に駆動電圧を印加する。この第１の液晶シャッター１０１への駆動電圧の印加により、第１の液晶シャッター１０１は白濁から透明となる。このとき図３の（２）に示すように、撮影カメラ１０２は撮影期間３０２となり撮影が行われることとなる。ただし、この期間では、図３の（４）に示すように、第２の液晶シャッター１０５への駆動電圧は印加されない。その結果、撮影カメラ１０２のカメラシャッターが開いている期間すなわち撮影カメラ１０２の撮影期間３０２では、スクリーンに見立てた第１の液晶シャッター１０１は開くことすなわち透明の通過状態となる。一方、投影装置１０３の投影口に設置された第２の液晶シャッター１０５は閉じるすなわち白濁した遮蔽状態となるので、投影光が拡散される。従って、映像情報１０６の第１の液晶シャッター１０１への投影は行われないこととなる。
【００２８】
このとき、撮影カメラ１０２の撮影期間３０２はスクリーンに見立てた第１の液晶シャッター１０１が透明になるため、スクリーンに見立てた第１の液晶シャッター１０１を撮影カメラ１０２の光軸上に設置しても、撮影映像には影響を及ぼさないこととなる。この撮影期間３０２では、投影装置１０３の投影口に設置された第２の液晶シャッター１０５は閉じて遮蔽状態となっているため、透明になったスクリーンに見立てた第１の液晶シャッター１０１の表面への投影光の照射を防止できることとなるので、第１の液晶シャッター１０１の表面での不必要な反射を防ぐと共に、被撮影者１０８への投影光の照射を防ぐことができる。また、スクリーンとなる第１の液晶シャッター１０１は、撮影カメラ１０２の前方に配置されることとなるので、被撮影者１０８の目線を撮影カメラ１０２に向けたままでの映像情報１０６の提示が可能となる。
【００２９】
このように、第１及び第２の液晶シャッター１０１，１０５の開閉タイミングにおいて、第１の液晶シャッター１０１は撮影カメラ１０２の未露光期間のみ液晶シャッターを開け、第２の液晶シャッター１０５は未露光期間のみ液晶シャッターを開けることにより、第１の液晶シャッター１０１に撮影カメラ１０２に撮影されない映像情報１０６の表示が可能となる。このとき、実施の形態１のカメラシステムでは、第１の液晶シャッター１０１に投影装置１０３から直接に映像情報１０６を投影する構成となっているので、第１の液晶シャッター１０１に対して斜め方向からでも、この第１の液晶シャッター１０１に結像される映像情報１０６を容易に確認できることとなる。なお、第１の液晶シャッター１０１と第２の液晶シャッター１０５の動作タイミングは、撮影カメラ同期信号３０１から同時に求められるのは言うまでもなく、一方の液晶シャッターが閉じている間は他方の液晶シャッターが開き、逆の場合すなわち一方の液晶シャッターが開いている間は他方の液晶シャッターが閉じた状態になることも言うまでもない。そして、被撮影者１０８は、スクリーンに見立てた第１の液晶シャッター１０１に投影された投影装置１０３からの文字や記号等による映像情報１０６を見ることができることとなる。
【００３０】
なお、実施の形態１のカメラシステムでは、投影装置１０３からの投影光を遮蔽する第２の液晶シャッター１０５を配置する構成としたが、これに限定されることはなく、常に投影装置１０３から第１の液晶シャッター１０１に映像情報１０６を含む投影光を照射する構成でもよいことはいうまでもない。ただし、この場合であっても、撮影カメラ１０２に同期して、第１の液晶シャッター１０１での投影光の通過と遮蔽とを制御することによって、撮影カメラ１０２に撮影されない映像情報１０６の表示が可能となることはいうまでもない。
【００３１】
以上に説明したカメラシステムの適用の一例を示したのが図４であり、図４においては、被撮影者１０８ａ，１０８ｂはスクリーンに見立てた第１の液晶シャッター１０１に表示された映像情報１０６としての文字情報を見ることによって、ハーフミラーをのぞき込む等の動作の必要がない自然な姿勢で、正面からだけではなく撮影カメラ１０２に対して斜め方向からでも、表示された文字を確認することができ、複数の被撮影者１０８（ａ），１０８（ｂ）の台詞などを、同時に表示することができる。
【００３２】
（実施の形態２）
図５は本発明の実施の形態２のカメラシステムの概略構成を説明するための外観図であり、５０１は第１の表示装置、５０２は第１の被撮影者、５０３は第２の表示装置、５０４は第２の被撮影者を示す。なお、実施の形態２では、表示装置を２台用いた一対一の映像情報１０６の表示の場合について説明するが、３台以上でもよいことはいうまでもない。３台以上の場合には、例えば表示装置に内蔵される投影装置１０３に入力される映像信号を表示装置の台数に応じた分割画面表示用の映像信号とすることによって、全ての被撮影者の映像を表示させることができる。この場合には、自分を撮影している画像も、自身のところに配置される表示装置に一緒に表示させてもよいことはいうまでもない。
【００３３】
図５に示すように、実施の形態２のカメラシステムでは、実施の形態１に示す撮影カメラ１０２、投影装置１０３、液晶シャッター駆動装置１０４、及び第２の液晶シャッター１０５が筐体に格納される構成となっている。また、この筐体の少なくとも一の面に第１の液晶シャッター１０１からなるスクリーンが配置され、この第１の液晶シャッター１０１に映像情報１０６が表示される構成となって、第１及び第２の表示装置５０１，５０３をそれぞれ形成している。従って、実施の形態２のカメラシステムであっても、各表示装置５０１，５０３は前述した実施の形態１のタイミングで、撮影カメラ１０２による撮影と、第１及び第２の液晶シャッター１０１，１０５の駆動とを行う構成となっている。
【００３４】
また、実施の形態２のカメラシステムでは、一方の表示装置である第１の表示装置５０１が備える撮影カメラ１０２の映像信号が、図示しない通信回線あるいは放送回線等の周知の伝送路を介して、他方の表示装置である第２の表示装置５０３が備える投影装置１０３に供給される構成となっている。同様にして、他方の表示装置である第２の表示装置５０３が備える撮影カメラ１０２の映像信号が伝送路を介して、一方の表示装置である第１の表示装置５０１が備える投影装置１０３に供給される構成となっている。
【００３５】
その結果、第１の表示装置５０１には第２の被撮影者５０４が表示され、第２の表示装置５０３には第１の被撮影者５０２がそれぞれ表示されることとなるので、いわゆるテレビ電話を実現することができる。このとき、実施の形態２では、撮影カメラ１０２が表示装置５０１，５０３の筐体内にそれぞれ格納される構成となっているので、第１及び第２の被撮影者５０２，５０４は、それぞれ撮影カメラ１０２の存在を意識することなく、画面（スクリーン）として機能する第１の液晶シャッター１０１に表示される相手の顔を伺いながら会話をすることができる。
【００３６】
図６及び図７は、前述したテレビ電話機能を実現する従来の方式を説明するための図である。
【００３７】
図６は、従来のモニタ（表示装置）６０１，６０２の上部に、撮影カメラ１０２が設置されている場合のテレビ電話などの通信状態の様子を示したものである。この表示装置では、第２の被撮影者５０４の視線は、第２のモニタ６０２に表示される第１の被撮影者５０２と合っているように見える。しかしながら、第１の被撮影者５０２の側では、第２の被撮影者５０４は点線で示すように正面に配置される第２のモニタ６０２を見ている。このとき、第２の被撮影者５０４の映像は、第２のモニタ上の撮影カメラ１０２で撮影されることとなるので、第１の被撮影者５０２が見ている第１のモニタ６０１においては、第２の被撮影者５０４は下を向いているように見えてしまう。
【００３８】
また、第１の被撮影者５０２は、第２の被撮影者５０４の側の第２のモニタ６０２では、画面に対して正対しているようであるが、実際には第１のモニタ６０１ではなく、点線で示すようにこの第１のモニタ６０１の上部に配置される撮影カメラ１０２を見ているため、第１の被撮影者５０２は第１のモニタ６０１の画面を見ることができず、第２の被撮影者５０４の表情などの変化を伺い知ることができないという問題が生じていた。このように、モニタ上部に取り付けられた撮影カメラ１０２を用いたテレビ電話では、互いの目線がかみ合わない状態が生じていた。
【００３９】
図７は、第１のモニタ６０１の画面中央に小型の撮影カメラ１０２を設置した表示装置である。しかしながら、表示画面の中央部分に位置することが多い顔の中央に異物となる撮影カメラ１０２が配置されることとなるので、相手の表情を確認することができないという問題があった。
【００４０】
以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【００４１】
【発明の効果】
本願において開示される発明のうち代表的なものによって得られる効果を簡単に説明すれば、下記の通りである。
【００４２】
（１）ハーフミラーを用いずに、撮影カメラ前にこの撮影カメラに撮影されない映像情報の表示を行うことができる。
【００４３】
（２）被写体の目線をカメラに向けたまま、様々な情報を提示することができる。
【００４４】
（３）鏡の反射ではなく液晶シャッターヘの投射による画面による表示が可能となるので、様々な角度からでも、複数の被撮影者からでも容易に表示された画像情報を確認することができ、映像制作を効率化できる。
【００４５】
（４）映像表示装置がカメラと同一方向に設置することが可能なため、ハーフミラーを用いた装置よりも小型化することができ、撮影可能条件を向上させることができる。
【００４６】
（５）ハーフミラーよりも入射光量の減衰を抑えることができるため、撮影装置への入射光量の減少を抑え、撮影時における照明の光量や、撮影機器または撮影媒体の感度の制限や負担を減らすことができる。
【図面の簡単な説明】
【図１】実施の形態１のカメラシステムの概略構成を説明するための図である。
【図２】実施の形態１のカメラシステムの概略構成を説明するための外観図である。
【図３】実施の形態１のカメラシステムの動作を説明するための図である。
【図４】実施の形態１のカメラシステムの適用の一例を示した図である。
【図５】本発明の実施の形態２のカメラシステムの概略構成を説明するための外観図である。
【図６】テレビ電話機能を実現する従来の方式を説明するための図である。
【図７】テレビ電話機能を実現する従来の方式を説明するための図である。
【符号の説明】
１０１…第１の液晶シャッター　　　　１０２…撮影カメラ
１０３…投影装置　　　　　　　　　　１０４…液晶シャッター駆動装置
１０５…第２の液晶シャッター　　　　１０６…映像情報
１０７…撮影情報光　　　　　　　　　１０８…被撮影者
５０１…第１の表示装置　　　　　　　５０２…第１の被撮影者
５０３…第２の表示装置　　　　　　　５０４…第２の被撮影者
６０１…第１のモニタ　　　　　　　　６０２…第２のモニタ
【図１】
2004064376.tif 000003
【図２】
2004064376.tif 000004
【図３】
2004064376.tif 000005
【図４】
2004064376.tif 000006
【図５】
2004064376.tif 000007
【図６】
2004064376.tif 000008
【図７】
2004064376.tif 000009